(57)【要約】【課題】調味袋、箸などの添付物を取り出しやすく収納することができる包装用容器を提供する。【解決手段】包装用容器１０は、周壁部３を有する蓋体１と、蓋体１を被着する容器本体６とを備え、周壁部３の外側に、周壁部３と適宜間隔の間隙を設けて上方に突出する支持面部５とを備え、この間隙を、添付物を収納できる収納部８としたことを特徴とし、支持面部５は蓋体１の鍔部４上に備えることや容器本体の鍔部上に備えることができる。【選択図】図２
2018144838.tif 000002
【特許請求の範囲】
【請求項１】
周壁部を有する蓋体と、前記蓋体を被着する容器本体とを備えた包装用容器であって、前記周壁部の外側に、前記周壁部と適宜間隔の間隙を設けて上方に突出する支持面部を備え、前記間隙を、添付物を収納できる収納部とした包装用容器。
【請求項２】
前記支持面部を前記蓋体の鍔部上に備えた請求項１に記載の包装用容器。
【請求項３】
前記支持面部を前記容器本体の鍔部上に備えた請求項１に記載の包装用容器。
【請求項４】
前記支持面部を対向する位置に備えた請求項１〜３のいずれかに記載の包装用容器。
【発明の詳細な説明】
【技術分野】
【０００１】
本発明は、主に食品などを収納する、合成樹脂から成形された包装用容器に関する。
【背景技術】
【０００２】
弁当、野菜、果物、お惣菜などの食品は、合成樹脂から成形された包装用容器に収納され、スーパー、コンビニエンスストアやデパートなどの小売店の食品売り場で陳列されていることがよく見られる。
このような包装用容器には、購入後、食品を直ぐに食することができるように、割り箸、スプーン、フォークなどが添付されていることがある。また、おいしく召し上がることができるように、ソース、薬味、ドレッシングなどの調味料等を封入した調味袋が添付されていることもある。
【０００３】
例えば、下記特許文献１には、焼きソバ・中華ソバ・スパゲッティ等の食品を収納するための食品包装用容器を構成する容器本体の開口縁部に嵌合されて、この容器本体内の食品を保護するための透明材料からなる蓋であって、この蓋の上面に、前記食品のための薬味や調味料を収納するための収納凹所を形成するとともに、この収納凹所の底部に波形の滑り止めを形成したことを特徴とする食品包装用容器の蓋が開示されている。
【０００４】
また、下記特許文献２には、食品を収容する容器と、容器の上面に嵌合する蓋とを有した弁当容器において、蓋の上面に調味料の設置場所として使用する凹部を形成し、凹部の左右両側の段差を切り欠いてゴムバンド締着用の溝を形成し、凹部の前後両側の段差を切り欠いて箸設置用の溝を形成し、凹部に調味料を置き、その上から前後方向に箸をかけ渡し、箸の中央部分をゴムバンドで締着し、箸と共に調味料を一体保持することを特徴とする弁当容器が開示されている。
【０００５】
【特許文献１】特開平９−２７８０４７号公報
【特許文献２】特開２００１−２９９４３０号公報
【発明の概要】
【発明が解決しようとする課題】
【０００６】
上記特許文献１又は２には、蓋に箸や調味袋などを収納できる凹部が形成されており、容器に収納した食品とは分離させて収納できるので、取出しやすく使い勝手がよいものである。
しかし、調味袋の多くは扁平状であり、このような調味袋を凹部に寝かせて置いてあるため掴みにくく、調味袋を使用する際に取出しにくいことがあった。
【０００７】
そこで、本発明の目的は、調味袋、箸などの添付物を取り出しやすく収納することができる包装用容器を提供することにある。
【課題を解決するための手段】
【０００８】
本発明の一実施形態の包装用容器は、周壁部を有する蓋体と、前記蓋体を被着する容器本体とを備えた包装用容器であって、前記周壁部の外側に、前記周壁部と適宜間隔の間隙を設けて上方に突出する支持面部を備え、前記間隙を、添付物を収納できる収納部としたことを特徴とする。
【０００９】
このようにすることにより、周壁部と支持面部との間隙を収納部とし、収納部にソースなどの調味袋や箸などの添付物を収納することができるため、添付物を周壁部に立て掛けて置くことができ、調味袋などの添付物を掴みやすく取出しやすくすることができる。
また、支持面部に指を掛けて容器を持ち上げることにより、指掛かりがよいため、容器が持ち上げやすくなる効果もある。
【００１０】
上記包装用容器は、支持面部を蓋体の鍔部上に備えたり、容器本体の鍔部上に備えたりすることができる。このようにすることにより、蓋体と容器本体の嵌合を様々な形態にすることができる。例えば、外嵌合にする場合は、支持面部を蓋体の鍔部上に備えることが好ましく、内嵌合にする場合は、支持面部を容器本体の鍔部上に備えることが好ましい。
【００１１】
上記実施形態の包装用容器は、支持面部を対向する位置に備えることができる。このようにすることにより、複数の調味袋などの添付物を収納することができる。また、容器のバランスがよくなり容器が傾きにくくなる。
【図面の簡単な説明】
【００１２】
【図１】本発明の一実施形態の包装用容器を示す斜視図である。
【図２】図１の包装用容器に調味袋を収納した状態を示した部分拡大斜視図である。
【図３】図１の包装用容器の部分拡大端面図である。
【図４】図１の包装用容器の一変形例を示した部分拡大斜視図である。
【図５】図１の包装用容器の他の変形例を示した部分拡大斜視図である。
【図６】本発明の他の実施形態の包装用容器を示す斜視図である。
【図７】図６の包装用容器の部分拡大端面図である。
【発明を実施するための形態】
【００１３】
以下、本発明の包装用容器の一実施形態を、図面に基づいて説明する。
【００１４】
本発明の一実施形態の包装用容器１０は、図１などに示すように、蓋体１と、それを被着する容器本体６とからなり、食品を収容することができるとともに添付物を収納することができるものである。
添付物とは、包装用容器に収容した食品を食するのにあたり必要なものであり、ソース、薬味、ドレッシングなどの調味料等を封入した調味袋、箸、スプーン、フォーク、ナイフなどである。
【００１５】
蓋体１は、例えば、シート厚０．１０ｍｍ〜４．０ｍｍ、好ましくは０．１５ｍｍ〜２．０ｍｍの合成樹脂シートを熱成形して製造することができる。
合成樹脂シートとしては、特に限定するものではないが、発泡樹脂シート、非発泡樹脂しーとのいずれでもよく、例えば、ポリエチレン系樹脂シートやポリプロピレン系樹脂シートなどのポリオレフィン系樹脂シート、ポリスチレン系樹脂シート、ポリエチレンテレフタレート系樹脂シートや耐熱性を付与した変性ポリエチレンテレフタレート系樹脂シートなどのポリエステル系樹脂シートなどの熱可塑性樹脂シートを挙げることができる。なかでも、電子レンジの加熱に耐え得るもの、例えば、耐熱性ポリスチレン系樹脂シート、ポリプロピレン系樹脂シート、耐熱性を付与した変性ポリエチレンテレフタレート系樹脂シートなどが好ましい。
また、合成樹脂シートとして、積層シートを用いることもでき、積層シートとしては、例えば、合成樹脂シートにフィルムを熱ラミネートした積層シート、共押出法による積層シート、押出ラミネート法による積層シートなどを挙げることができる。
熱成形としては、例えば、真空成形、圧空成形、真空圧空成形、熱板成形などを挙げることができる。
【００１６】
蓋体１は、透明乃至半透明、黒色や白色などの有色でもよいが、内部が視認できるように、透明乃至半透明であることが好ましい。
【００１７】
蓋体１は、本実施形態では、平面視矩形状の天面部２の周縁から垂下乃至下方に傾斜する周壁部３を備え、周壁部３の下端部から外方に張り出す鍔部４が全周に渡り備えてある。
【００１８】
天面部２は、本実施形態では、平面視矩形状にしてある。これに限定されるものではなく、平面視円形状、平面視正方形乃至長方形状、平面視六角形状など様々な形状にすることができる。また、天面部２は、本実施形態では水平面状に形成してあるが、これに限定されるものではなく、傾斜状、凹み状、膨らみ状など様々な形状にすることができ、天面部２と周壁部３とをなだらかに一体的にしたドーム状などに形成することもできる。
【００１９】
周壁部３は、本実施形態では、天面部２の周縁から下方に向かい拡開する傾斜状に形成してあり、容器長辺側の面は、中央部付近がやや緩やかな傾斜としてあり、容器短辺側の面は、緩やかな傾斜と急な傾斜が交互に表れる左右対称状に形成してある。
【００２０】
鍔部４は、本実施形態では、周壁部３の下端部から外方に張り出すように水平状に形成してあり、容器短辺側の鍔部４の上面には、周壁部３と適宜間隔の間隙を設けて支持面部５が設けてある。また、鍔部４の外縁部には、垂下乃至下方に傾斜する嵌合面部４１が形成してあり、嵌合面部４１の四隅部及び各辺の中央部には、内側に凹ませた筋溝状の嵌合部４２が形成してあり、後述する容器本体６の鍔部６１に外嵌合できるように形成してある。
【００２１】
蓋体１は、本実施形態では容器本体６の鍔部６１の縁部に外嵌合できるように形成してあるが、これに限定されるものではなく、内嵌合、内外嵌合などできるように形成してもよく、また、嵌合面部４１を設けず、容器本体６の鍔部６１に重ね合わせて接着テープなどで固着できるようにしてもよい。
【００２２】
支持面部５は、容器短辺側の両鍔部４の上面に周壁部３と間隙を設けるようにして上方に突出させて形成してあり、この間隙を収納部８としてある。
【００２３】
支持面部５は、本実施形態では、容器短辺側の両鍔部４に設けてあるが、これに限定されるものではなく、長辺側の鍔部４に設けてもよく、鍔部４の全体に複数設けてもよい。また、支持面部５は、容器１０の対向する位置に設けるのが好ましく、これにより左右のバランスを保つことができる。
【００２４】
支持面部５は、本実施形態では、正面視横長台形状に形成してある。これに限定されるものではなく、正面視矩形状や正面視アーチ状乃至半円状などに形成してもよい。図４には、一変形例の支持面部５１が示され、支持面部５１は、鍔部４の上面に正面視縦長台形状に形成してあり、適宜間隔で２ヶ所設けた形態としてある。また、図５には、他の変形例の支持面部５２が示され、支持面部５２は、鍔部４の上面に正面視半円形状に形成してあり、適宜間隔で３ヶ所設けた形態としてある。なお、図５は、箸袋に封入された箸７１を収納した状態を示してある。
【００２５】
支持面部５の高さ（鍔部４の上面を基準として最高点までの高さ）は、周壁部３の高さ（鍔部４の上面を基準として最高点までの高さ）を１とした場合、０．１〜１．５、特に０．２〜１にするのが好ましい。支持面部５は、周壁部３と略同一高さ或いは周壁部３よりも高くしておけば、収納した調理袋７などが容器１０から脱落しにくくなるため好ましい。
【００２６】
収納部８は、図２又は図３に示すように、調味料などを封入した調味袋７などの添付物を収納することができ、調味袋７の一縁部を底部として縦置きし、挟み込みできるように形成することが好ましい。収納部８の間隔は、特に限定するものではないが、添付物が脱落しない程度、具体的には最大箇所で、３ｍｍ〜５０ｍｍ、特に４ｍｍ〜３０ｍｍにするが好ましく、最小箇所で、１ｍｍ〜１０ｍｍ、特に１．５ｍｍ〜５ｍｍにするのが好ましい。なお、この間隔は、水平方向におけるものである。
【００２７】
容器本体６は、蓋体１を被着できる形態であればどのような形態でもよいが、本実施形態では、食品などを収容できる収容部６２を有し、収容部６２の上端縁から外方に張り出した鍔部６１を全周に渡り備えてある。
容器本体６は、蓋体１と同様の材料を用い、同様の製法により作製することができる。蓋１と容器本体６とは同じ材料でも相違する材料としてもよい。
【００２８】
容器本体６は、黒色や白色などの有色でもよいが、内部が視認できるように透明乃至半透明であることが好ましい。容器本体６を有色、蓋体１を透明など相違させてもよい。
【００２９】
包装用容器１０に、ソース、薬味、ドレッシングなどの調味料等を封入した調味袋７を備え付けるには、蓋体１を容器本体６に嵌合させ、図３に示すように、調味袋７の一縁部を下向きにし、支持面部５と周壁部３との間隙の収納部８に挟み込ませ、周壁部３に立て掛けるようにして収納すれば、図２に示すように、包装用容器１０に調味袋７を備え付けることができる。
【００３０】
調味袋７を使用する際は、調味袋７の上側の隅部を摘み持ち上げればよく、取出しやすいものである。
調味袋７以外にも、箸、スプーン、フォーク、ナイフなどを挟み込ませてもよい。
この状態で、さらに、接着テープなどを用いて調味袋７を補助的に固定してもよい。このようにすることにより、調味袋７の脱落を防ぐことができ、単に接着テープを用いて蓋体に調味袋７を固定するよりも収納部８があるため接着テープの使用量を削減することができる。
【００３１】
支持面部５は、鍔部４の上面に突出させて形成してあるため、蓋１の剛性を高める効果もある。また、支持面部５は指が掛かりやすいため、蓋体１又は包装用容器１０を持ち上げやすくするという効果もある。
【００３２】
図６には、他の実施形態の包装用容器１０Ａが示してある。
包装用容器１０Ａは、容器本体６Ａに内嵌合できる蓋体１Ａを備え、容器本体６Ａの鍔部６１Ａに支持面部５Ａを備えた構成としてある。他の構成は、上記形態と同じであるため詳しい説明は省略する。
【００３３】
包装用容器１０Ａは、図７に示すように、蓋体１Ａを容器本体６Ａに嵌合させることにより、支持面部５Ａと蓋体１Ａの周壁部３Ａとの間に間隙ができ、この間隙を収納部８Ａとすることができる。収納部８Ａに調味袋７などを挟み込ませて収納することができる。
包装用容器１０Ａは、上記形態の包装用容器１０と同じく、調味袋７を使用する際は、調味袋７の上側の隅部を摘み持ち上げればよく、取出しやすいものである。
【００３４】
上記実施形態の構成態様は、本発明を限定するものとして挙げたものではなく、技術目的を共通にするかぎり変更は可能であり、本発明はそのような変更を含むものである。例えば、蓋体１と容器本体６をヒンジなどで一体的に形成した、いわゆるフードパックなども含まれるものである。
【符号の説明】
【００３５】
１０包装用容器
１蓋体
２天面部
３周壁部
４鍔部
４１嵌合面部
４２嵌合部
５支持面部
６容器本体
６１鍔部
６２収容部
７調味袋
８収納部
【図１】
2018144838.tif 000003
【図２】
2018144838.tif 000004
【図３】
2018144838.tif 000005
【図４】
2018144838.tif 000006
【図５】
2018144838.tif 000007
【図６】
2018144838.tif 000008
【図７】
2018144838.tif 000009